(57)【要約】【課題】第２管理領域の監視を強化する。【解決手段】インターホンシステム１０は、第１管理領域１０１に設けられたインターホン親機１と、第２管理領域１０２に設けられたインターホン子機２と、信号出力部２７とを備える。信号出力部２７は、第１管理領域１０１と第２管理領域１０２とを隔てる開閉部材５を解錠するための解錠信号Ｓｉｇ１を出力する。インターホン親機１は、親機側表示部１３と録画部１４との少なくとも一方を有する。親機側表示部１３は、第１映像と第２映像との少なくとも一方を表示し、録画部１４は、第１映像と第２映像との少なくとも一方を録画する。インターホン親機１は、信号出力部２７が解錠信号Ｓｉｇ１を出力した場合に、延長期間において親機側表示部１３による表示と録画部１４による録画との少なくとも一方を行う。【選択図】図１
2019140618.tif 000002
【特許請求の範囲】
【請求項１】
第１管理領域に設けられたインターホン親機と、
開閉部材によって前記第１管理領域と隔てられた第２管理領域に設けられたインターホン子機と、を備え、
前記インターホン親機と前記インターホン子機との間で通話可能なインターホンシステムであって、
前記開閉部材を解錠するための解錠信号を出力する信号出力部を更に備え、
前記インターホン子機は、
前記第２管理領域を撮像する第１撮像部を有し、
前記インターホン親機は、
前記第１撮像部が撮像した第１映像と前記第１撮像部とは異なる第２撮像部が撮像した第２映像との少なくとも一方を表示する親機側表示部と、
前記第１映像と前記第２映像との少なくとも一方を録画する録画部と、の少なくとも一方を有し、
前記インターホン親機は、前記信号出力部が前記解錠信号を出力した場合に、前記インターホン親機と前記インターホン子機との通話終了後の延長期間において前記親機側表示部による表示と前記録画部による録画との少なくとも一方を行う、
インターホンシステム。
【請求項２】
前記第１映像に含まれる顔画像に基づいて顔認証を行う認証部を更に備え、
前記信号出力部は、前記認証部の認証結果に応じて前記解錠信号を出力する、
請求項１に記載のインターホンシステム。
【請求項３】
前記インターホン子機は、前記開閉部材の解錠操作を受け付ける子機側操作部を更に有し、
前記信号出力部は、前記子機側操作部が前記解錠操作を受け付けた場合に前記解錠信号を出力する、
請求項１に記載のインターホンシステム。
【請求項４】
前記インターホン親機は、前記延長期間において前記親機側表示部による表示及び前記録画部による録画を停止するための停止操作を受け付ける親機側操作部を更に有する、
請求項１〜３のいずれか１項に記載のインターホンシステム。
【請求項５】
前記延長期間は可変である、
請求項１〜４のいずれか１項に記載のインターホンシステム。
【請求項６】
前記延長期間の終了タイミングが、前記第１撮像部と前記第２撮像部とで別々に設定可能である、
請求項１〜５のいずれか１項に記載のインターホンシステム。
【請求項７】
前記インターホン親機は、前記親機側表示部を有し、
前記親機側表示部は、前記第１映像と前記第２映像との両方を同時に表示可能である、
請求項１〜６のいずれか１項に記載のインターホンシステム。
【請求項８】
前記第１映像と前記第２映像との少なくとも一方の映像、又は前記映像に含まれる画像を特定端末に出力する映像出力部を更に備える、
請求項１〜７のいずれか１項に記載のインターホンシステム。
【請求項９】
前記インターホン親機は、前記親機側表示部による表示と前記録画部による録画との少なくとも一方を開始してから前記延長期間が終了するまでの間、前記親機側表示部による表示と前記録画部による録画との少なくとも一方を継続する、
請求項１〜８のいずれか１項に記載のインターホンシステム。
【請求項１０】
第２管理領域に設けられたインターホン子機との間で通話可能であり、開閉部材によって前記第２管理領域と隔てられた第１管理領域に設けられたインターホン親機の制御方法であって、
前記インターホン子機の第１撮像部が撮像した第１映像と前記第１撮像部とは異なる第２撮像部が撮像した第２映像との少なくとも一方を表示する表示ステップと、
前記第１映像と前記第２映像との少なくとも一方を録画する録画ステップと、の少なくとも一方を備え、
前記開閉部材を解錠するための解錠信号を出力する信号出力部が前記解錠信号を出力した場合に、前記インターホン親機と前記インターホン子機との通話終了後の延長期間において前記表示ステップと前記録画ステップとの少なくとも一方を行う、
制御方法。
【請求項１１】
コンピュータシステムに、
請求項１０に記載の制御方法を実行させるためのプログラム。
【発明の詳細な説明】
【技術分野】
【０００１】
本開示は、一般にインターホンシステム、制御方法、及びプログラムに関し、より詳細には、インターホン親機とインターホン子機とを備えるインターホンシステム、制御方法、及びプログラムに関する。
【背景技術】
【０００２】
特許文献１には、マンション等の集合住宅に適用される集合住宅用インターホンシステムが記載されている。特許文献１に記載の集合住宅用インターホンシステムは、複数の住戸端末と、共用端末と、を備える。複数の住戸端末は、それぞれ複数の住戸に設置されている。共用端末は、集合住宅の共用部に設置されている。特許文献１に記載の集合住宅用インターホンシステムでは、住戸端末と共用端末との通話中に、共用端末の撮像部で撮像した映像を住戸端末の表示部に表示することができる。
【先行技術文献】
【特許文献】
【０００３】
【特許文献１】特開２０１７−１７５４７７号公報
【発明の概要】
【発明が解決しようとする課題】
【０００４】
ところで、特許文献１に記載のような集合住宅用インターホンシステムでは、住戸端末と共用端末との通話が終了すると、住戸端末の表示部の表示を終了するのが一般的であり、共用部（第２管理領域）の監視の強化が望まれている。
【０００５】
本開示は上記問題点に鑑みて為されており、第２管理領域の監視を強化することができるインターホンシステム、制御方法、及びプログラムを提供することを目的とする。
【課題を解決するための手段】
【０００６】
本開示の一態様に係るインターホンシステムは、インターホン親機と、インターホン子機と、を備える。前記インターホン親機は、第１管理領域に設けられている。前記インターホン子機は、開閉部材によって前記第１管理領域と隔てられた第２管理領域に設けられている。前記インターホンシステムでは、前記インターホン親機と前記インターホン子機との間で通話可能である。前記インターホンシステムは、前記開閉部材を解錠するための解錠信号を出力する信号出力部を更に備える。前記インターホン子機は、前記第２管理領域を撮像する第１撮像部を有する。前記インターホン親機は、親機側表示部と録画部との少なくとも一方を有する。前記親機側表示部は、前記第１撮像部が撮像した第１映像と前記第１撮像部とは異なる第２撮像部が撮像した第２映像との少なくとも一方を表示する。前記録画部は、前記第１映像と前記第２映像との少なくとも一方を録画する。前記インターホン親機は、前記信号出力部が前記解錠信号を出力した場合に、延長期間において前記親機側表示部による表示と前記録画部による録画との少なくとも一方を行う。前記延長期間は、前記インターホン親機と前記インターホン子機との通話終了後の期間である。
【０００７】
本開示の一態様に係る制御方法は、インターホン親機の制御方法である。前記インターホン親機は、第２管理領域に設けられたインターホン子機との間で通話可能である。前記インターホン親機は、開閉部材によって前記第２管理領域と隔てられた第１管理領域に設けられている。前記制御方法は、表示ステップと録画ステップとの少なくとも一方を備える。前記表示ステップは、前記インターホン子機の第１撮像部が撮像した第１映像と前記第１撮像部とは異なる第２撮像部が撮像した第２映像との少なくとも一方を表示するステップである。前記録画ステップは、前記第１映像と前記第２映像との少なくとも一方を録画するステップである。前記制御方法では、前記開閉部材を解錠するための解錠信号を出力する信号出力部が前記解錠信号を出力した場合に、延長期間において前記表示ステップと前記録画ステップとの少なくとも一方を行う。前記延長期間は、前記インターホン親機と前記インターホン子機との通話終了後の期間である。
【０００８】
本開示の一態様に係るプログラムは、コンピュータシステムに、前記制御方法を実行させるためのプログラムである。
【発明の効果】
【０００９】
本開示によれば、第２管理領域の監視を強化することができる、という効果がある。
【図面の簡単な説明】
【００１０】
【図１】図１は、本開示の実施形態１に係るインターホンシステムのブロック図である。
【図２】図２は、同上のインターホンシステムの動作を説明するシーケンス図である。
【図３】図３は、本開示の実施形態１の変形例に係るインターホンシステムの動作を説明するシーケンス図である。
【図４】図４は、本開示の実施形態２に係るインターホンシステムの動作を説明するシーケンス図である。
【図５】図５は、本開示の実施形態３に係るインターホンシステムの動作を説明するシーケンス図である。
【発明を実施するための形態】
【００１１】
（実施形態１）
（１）概要
以下、本実施形態に係るインターホンシステム１０の概要について、図１を参照して説明する。
【００１２】
本実施形態に係るインターホンシステム１０は、例えば、マンション等の集合住宅に適用される集合住宅用のインターホンシステムである。インターホンシステム１０は、図１に示すように、複数（図示例では２つ）のインターホン親機１と、インターホン子機２と、制御装置３と、を備えている。インターホンシステム１０では、制御装置３を介して、複数のインターホン親機１の各々とインターホン子機２との間で通話可能である。
【００１３】
インターホン親機１は、第１管理領域１０１に設けられている。第１管理領域１０１は、ここでは集合住宅の各住戸である。つまり、インターホン親機１は、集合住宅の各住戸に設置される住戸端末である。インターホン親機１は、第２伝送路５２を介して制御装置３に接続されている。第２伝送路５２は、幹線５２１と、複数（図示例では２つ）の分岐線５２２と、を含む。複数の分岐線５２２の各々は、分岐器４を介して幹線５２１から分岐している。複数の分岐線５２２は、複数のインターホン親機１と一対一に対応しており、複数のインターホン親機１の各々は、対応する分岐線５２２を介して幹線５２１に接続されている。各インターホン親機１は、制御装置３を介して、インターホン子機２との間で通信（例えば、通話、及び制御信号の送信等）を行うように構成されている。
【００１４】
インターホン子機２は、第２管理領域１０２に設けられている。第２管理領域１０２は、ここでは集合住宅の共用ロビー（共用玄関）である。つまり、インターホン子機２は、集合住宅の共用ロビーに設置されるロビーインターホンである。インターホン子機２は、第１伝送路５１を介して制御装置３に接続されている。インターホン子機２は、制御装置３を介して、各インターホン親機１との間で通信（例えば、通話、及び映像信号の送信等）を行うように構成されている。
【００１５】
制御装置３は、集合住宅の管理室等に設置されている。制御装置３は、各インターホン親機１とインターホン子機２との間の通信を中継するように構成されている。なお、第１伝送路５１及び第２伝送路５２は、いずれもツイストペア線である。つまり、実際には、第１伝送路５１及び第２伝送路５２は２本の電線で構成されるが、図面上では１本の線で表している。
【００１６】
インターホン親機１が設置されている第１管理領域１０１と、インターホン子機２が設置されている第２管理領域１０２とは、開閉部材５によって隔てられている。開閉部材５は、ここでは、第１管理領域１０１と第２管理領域１０２との間に設けられた自動ドアである。開閉部材５は、後述するインターホン子機２の信号出力部２７からの解錠信号Ｓｉｇ１により解錠され、かつ自動的に開くように構成されている。また、開閉部材５は、一定時間（例えば、１分）が経過すると自動的に閉じるように構成されている。一定時間は、インターホン子機２から開閉部材５までの距離に応じて任意に設定することができる。
【００１７】
本実施形態に係るインターホンシステム１０は、図１に示すように、インターホン親機１と、インターホン子機２と、を備えている。インターホン親機１は、第１管理領域１０１に設けられている。インターホン子機２は、第２管理領域１０２に設けられている。第２管理領域１０２は、開閉部材５によって第１管理領域１０１と隔てられている。インターホンシステム１０では、インターホン親機１とインターホン子機２との間で通話可能である。
【００１８】
インターホンシステム１０は、開閉部材５を解錠するための解錠信号Ｓｉｇ１を出力する信号出力部２７を更に備えている。インターホン子機２は、第２管理領域１０２を撮像する第１撮像部２３を有している。インターホン親機１は、親機側表示部１３と録画部１４との少なくとも一方を有している。親機側表示部１３は、第１映像と第２映像との少なくとも一方を表示する。録画部１４は、第１映像と第２映像との少なくとも一方を録画する。第１映像は、第１撮像部２３が撮像した映像である。第２映像は、第１撮像部２３とは異なる第２撮像部８が撮像した映像である。
【００１９】
インターホン親機１は、信号出力部２７が解錠信号Ｓｉｇ１を出力した場合に、延長期間Ｔ２において親機側表示部１３による表示と録画部１４による録画との少なくとも一方を行う。延長期間Ｔ２は、インターホン親機１とインターホン子機２との通話終了後の期間である。本実施形態では、延長期間Ｔ２は、インターホン親機１とインターホン子機２との通話終了から予め設定された規定時間が経過するまでの期間であり、固定期間である。そして、本実施形態では、インターホン親機１は、親機側表示部１３による表示と録画部１４による録画との両方を開始してから延長期間Ｔ２が終了するまでの間、表示と録画との両方を継続する。
【００２０】
本実施形態に係るインターホンシステム１０では、延長期間Ｔ２において親機側表示部１３による表示と録画部１４による録画との少なくとも一方を行っている。これにより、延長期間Ｔ２が設けられていない場合と比較して、第２管理領域１０２の監視を強化することができる。
【００２１】
（２）詳細
以下、本実施形態に係るインターホンシステム１０の詳細について、図１を参照して説明する。本実施形態に係るインターホンシステム１０は、図１に示すように、複数（図示例では２つ）のインターホン親機１と、インターホン子機２と、制御装置３と、を備えている。また、インターホンシステム１０は、サーバ装置６と、第２撮像部８と、を更に備えている。なお、サーバ装置６及び第２撮像部８については、インターホンシステム１０に含まれていてもよいし、含まれていなくてもよい。
【００２２】
（２．１）インターホン親機
まず、インターホン親機１の構成について説明する。インターホン親機１は、図１に示すように、親機側制御部１１と、親機側通信部１２と、親機側表示部１３と、録画部１４と、親機側操作部１５と、親機側記憶部１６と、映像出力部１７と、を備えている。さらに、インターホン親機１は、インターホン子機２との間で通話を実現するための親機側通話部（スピーカ及びマイクロホンを含む）等を備えている。
【００２３】
親機側制御部１１は、プロセッサ及びメモリを有するマイクロコンピュータで構成されている。つまり、親機側制御部１１は、プロセッサ及びメモリを有するコンピュータシステムで実現されている。そして、プロセッサが適宜のプログラムを実行することにより、コンピュータシステムが親機側制御部１１として機能する。プログラムは、メモリに予め記録されていてもよいし、インターネット等の電気通信回線を通じて、又はメモリカード等の非一時的な記録媒体に記録されて提供されてもよい。
【００２４】
親機側通信部１２は、インターホン子機２と通信するための通信インターフェースである。親機側通信部１２は、図１に示すように、第２伝送路５２を介して制御装置３に接続されている。親機側通信部１２は、制御装置３を介して、インターホン子機２との間で双方向に通信可能に構成されている。親機側通信部１２は、音声信号及び制御信号等を含む通信信号をインターホン子機２に送信する。また、親機側通信部１２は、インターホン子機２から送信される通信信号を受信し、この通信信号を復調することで音声信号及び映像信号等を取得する。音声信号は、親機側制御部１１を介して親機側通話部へ出力され、映像信号は、親機側制御部１１を介して親機側表示部１３へ出力される。
【００２５】
親機側表示部１３は、例えば液晶ディスプレイである。親機側表示部１３は、親機側制御部１１から出力される映像信号に基づく映像を表示する。本実施形態では、親機側表示部１３は、後述する第１撮像部２３が撮像した第１映像と、後述する第２撮像部８が撮像した第２映像との両方を表示する。つまり、本実施形態では、親機側表示部１３は、第１映像と第２映像との両方を同時に表示可能である。
【００２６】
録画部１４は、第１映像と第２映像との少なくとも一方を録画する機能を有する。言い換えると、録画部１４は、第１映像と第２映像との少なくとも一方を親機側記憶部１６に記憶させる。本実施形態では、録画部１４は、第１映像と第２映像との両方を親機側記憶部１６に記憶させる。
【００２７】
親機側操作部１５は、各住戸の住人の操作入力を受け付けるように構成されている。親機側操作部１５は、例えば、「通話」ボタン、「解錠」ボタン等の複数の押ボタンスイッチを有する入力インターフェースである。「通話」ボタンは、インターホン親機１とインターホン子機２との通話を開始（許可）するためのボタンである。「解錠」ボタンは、開閉部材５の解錠操作を受け付けるためのボタンである。親機側通信部１２が、住人を呼び出すための呼出信号をインターホン子機２から受信している状態で、親機側操作部１５の「通話」ボタンが押されると、インターホン親機１とインターホン子機２との間で通話可能な状態になる。
【００２８】
また、親機側操作部１５は、住人による停止操作を受け付ける機能を有している。ここでいう「停止操作」とは、後述する延長期間Ｔ２（図２参照）において親機側表示部１３による表示及び録画部１４による録画を停止するための操作をいう。つまり、延長期間Ｔ２において親機側操作部１５に対して停止操作が行われると、延長期間Ｔ２内であっても親機側表示部１３による表示及び録画部１４による録画が停止される。なお、インターホン親機１がタッチパネルディスプレイを備えている場合には、タッチパネルディスプレイによって親機側表示部１３と親機側操作部１５とが兼用されていてもよい。
【００２９】
親機側記憶部１６は、例えば、フラッシュメモリ等の読み書き可能なメモリで構成されている。親機側記憶部１６は、インターホン親機１に対して個別に割り当てられたアドレス情報（識別情報）を記憶する。また、親機側記憶部１６は、録画部１４が取得した第１映像と第２映像との少なくとも一方を記憶する。本実施形態では、親機側記憶部１６は、第１映像と第２映像との両方を記憶する。さらに、親機側記憶部１６は、延長期間Ｔ２を規定する規定時間を記憶する。なお、各住戸の住人が親機側操作部１５に対して所定の操作を行うことで、規定時間を変更できるように構成されていてもよい。
【００３０】
映像出力部１７は、映像、又は映像に含まれる画像を無線信号にて出力する無線通信部である。本実施形態では、映像出力部１７は、第１映像と第２映像との両方を含む無線信号を出力（送信）する。映像出力部１７は、特定端末７に無線信号を送信する。特定端末７は、例えば、各住戸の住人が所有するスマートフォンである。このように、映像、又は映像に含まれる画像を特定端末７に出力することによって、映像又は画像を特定端末７で確認することができる。なお、特定端末７は、スマートフォンに限らず、汎用の携帯情報端末（ＰＤＡ：Personal Digital Assistant）であってもよい。
【００３１】
（２．２）インターホン子機
次に、インターホン子機２の構成について説明する。インターホン子機２は、図１に示すように、子機側制御部２１と、子機側通信部２２と、第１撮像部２３と、子機側表示部２４と、子機側操作部２５と、子機側記憶部２６と、信号出力部２７と、第２通信部２８と、を備えている。さらに、インターホン子機２は、インターホン親機１との間で通話を実現するための子機側通話部（スピーカ及びマイクロホンを含む）等を備えている。
【００３２】
子機側制御部２１は、プロセッサ及びメモリを有するマイクロコンピュータで構成されている。つまり、子機側制御部２１は、プロセッサ及びメモリを有するコンピュータシステムで実現されている。そして、プロセッサが適宜のプログラムを実行することにより、コンピュータシステムが子機側制御部２１として機能する。プログラムは、メモリに予め記録されていてもよいし、インターネット等の電気通信回線を通じて、又はメモリカード等の非一時的な記録媒体に記録されて提供されてもよい。
【００３３】
子機側通信部２２は、インターホン親機１と通信するための通信インターフェースである。子機側通信部２２は、図１に示すように、第１伝送路５１を介して制御装置３に接続されている。子機側通信部２２は、制御装置３を介して、インターホン親機１との間で双方向に通信可能に構成されている。子機側通信部２２は、音声信号及び映像信号等を含む通信信号をインターホン親機１に送信する。また、子機側通信部２２は、インターホン親機１から送信される通信信号を受信し、この通信信号を復調することで音声信号等を取得する。音声信号は、子機側制御部２１を介して子機側通話部へ出力される。
【００３４】
第１撮像部２３は、例えば、被写体（訪問者等）を撮像するためのカメラである。そのため、第１撮像部２３の撮像エリア（視野）は、訪問者がインターホン子機２を操作する際に少なくとも訪問者の顔を撮像できるように、インターホン子機２の前方に設定されている。本実施形態では、第１撮像部２３は、動画を撮像するカメラである。さらに、本実施形態では、第１撮像部２３は、カラー画像を撮像するカメラである。なお、第１撮像部２３は、静止画を撮像するカメラであってもよいし、モノクロ画像を撮像するカメラであってもよい。
【００３５】
子機側表示部２４は、例えば液晶ディスプレイである。子機側表示部２４は、第１撮像部２３で撮像された映像（第１映像）を表示する。
【００３６】
子機側操作部２５は、集合住宅への訪問者（配達業者、友人等）の操作入力を受け付けるように構成されている。子機側操作部２５は、テンキー、「呼出」ボタン等の複数の押ボタンスイッチを有する入力インターフェースである。「呼出」ボタンは、各住戸を呼び出すためのボタンである。例えば、訪問者が、テンキーを用いて住戸番号等を入力した後、「呼出」ボタンを押すことによって、対象の住戸の住人を呼び出すことができる。これに対して、対象の住戸の住人が、親機側操作部１５に含まれる「通話」ボタンを押すことによって、インターホン親機１とインターホン子機２との間で音声通話を行うことができる。なお、インターホン子機２がタッチパネルディスプレイを備えている場合には、タッチパネルディスプレイによって子機側表示部２４と子機側操作部２５とが兼用されていてもよい。
【００３７】
子機側記憶部２６は、例えば、フラッシュメモリ等の読み書き可能なメモリで構成されている。子機側記憶部２６は、第１撮像部２３が撮像した映像（第１映像）を記憶する。
【００３８】
信号出力部２７は、開閉部材５を解錠するための解錠信号Ｓｉｇ１を出力するように構成されている。信号出力部２７は、例えば、子機側操作部２５のテンキーを用いて入力された暗証番号が予め設定された正規の暗証番号である場合に、開閉部材５に対して解錠信号Ｓｉｇ１を出力する。開閉部材５は、解錠信号Ｓｉｇ１によって解錠され、かつ自動的に開かれる。なお、インターホン子機２が解錠用のキーシリンダーを備えている場合には、信号出力部２７は、キーシリンダーに差し込まれたキー（鍵）による解錠操作によって解錠信号Ｓｉｇ１を出力するように構成されていてもよい。また、インターホン子機２がカードリーダーを備えている場合には、信号出力部２７は、非接触型のカードキー又はタグキー等による認証結果に応じて解錠信号Ｓｉｇ１を出力するように構成されていてもよい。
【００３９】
第２通信部２８は、サーバ装置６と通信するための通信インターフェースである。第２通信部２８は、サーバ装置６との間で双方向に通信可能に構成されている。第２通信部２８は、第１撮像部２３が撮像した第１映像を含む通信信号をサーバ装置６に送信する。また、第２通信部２８は、後述するサーバ装置６の認証部６１の認証結果を含む通信信号をサーバ装置６から受信する。
【００４０】
（２．３）制御装置
次に、制御装置３の構成について説明する。制御装置３は、図１に示すように、制御部３１と、通信部３２と、記憶部３３と、を備えている。
【００４１】
制御部３１は、プロセッサ及びメモリを有するマイクロコンピュータで構成されている。つまり、制御部３１は、プロセッサ及びメモリを有するコンピュータシステムで実現されている。そして、プロセッサが適宜のプログラムを実行することにより、コンピュータシステムが制御部３１として機能する。プログラムは、メモリに予め記録されていてもよいし、インターネット等の電気通信回線を通じて、又はメモリカード等の非一時的な記録媒体に記録されて提供されてもよい。
【００４２】
通信部３２は、第１伝送路５１を介して、インターホン子機２の子機側通信部２２に接続されている。また、通信部３２は、第２伝送路５２を介して、各インターホン親機１の親機側通信部１２に接続されている。通信部３２は、インターホン子機２から送信される通信信号を受信し、この通信信号に含まれる住戸番号に対応するアドレスが割り当てられたインターホン親機１に対して当該通信信号を送信する。また、通信部３２は、インターホン親機１から送信される通信信号を受信し、この通信信号をインターホン子機２に送信する。つまり、通信部３２は、インターホン親機１とインターホン子機２とを接続し、両者間での通信（通話）を中継する。
【００４３】
記憶部３３は、例えば、フラッシュメモリ等の読み書き可能なメモリで構成されている。記憶部３３は、集合住宅の各住戸（第１管理領域１０１）の住戸番号と、各住戸内に設置されるインターホン親機１に個別に割り当てられるアドレスとを紐付けて記憶する。したがって、制御部３１は、記憶部３３に記憶させた住戸番号とアドレスとの対応関係に基づいてインターホン子機２からの通信信号に含まれる住戸番号をアドレスに変換し、このアドレスを含む通信信号を通信部３２から各インターホン親機１に送信させる。各インターホン親機１では、通信信号に含まれるアドレスが自己に割り当てられたアドレスと一致する場合に通信信号を受信し、一致しなければ通信信号を破棄する。
【００４４】
（２．４）第２撮像部
本実施形態に係るインターホンシステム１０では、図１に示すように、第２撮像部８がインターホン子機２に接続されている。第２撮像部８は、第１撮像部２３と同様、カメラである。第２撮像部８の撮像エリアは、少なくとも開閉部材５を含むように設定されている。つまり、第２撮像部８は、開閉部材５を含む特定領域の映像（第２映像）を撮像するように構成されている。第２撮像部８が撮像した第２映像は、インターホン子機２の子機側制御部２１に入力される。本実施形態では、第２撮像部８は、動画を撮像するカメラである。さらに、本実施形態では、第２撮像部８は、カラー画像を撮像するカメラである。なお、第２撮像部８は、静止画を撮像するカメラであってもよいし、モノクロ画像を撮像するカメラであってもよい。
【００４５】
（２．５）サーバ装置
本実施形態に係るインターホンシステム１０では、更に、図１に示すように、サーバ装置６がインターホン子機２に接続されている。サーバ装置６は、認証部６１と、通信部６２と、記憶部６３と、を備えている。
【００４６】
認証部６１は、プロセッサ及びメモリを有するマイクロコンピュータで構成されている。つまり、認証部６１は、プロセッサ及びメモリを有するコンピュータシステムで実現されている。そして、プロセッサが適宜のプログラムを実行することにより、コンピュータシステムが認証部６１として機能する。プログラムは、メモリに予め記録されていてもよいし、インターネット等の電気通信回線を通じて、又はメモリカード等の非一時的な記録媒体に記録されて提供されてもよい。
【００４７】
認証部６１は、第１撮像部２３が撮像した第１映像に含まれる顔画像に基づいて顔認証を行うように構成されている。詳細には、認証部６１は、第１映像に含まれる顔画像と、記憶部６３に記憶されている顔画像とを比較し、両者が一致するか否かを判定する。そして、認証部６１は、両者が一致する場合には正規に登録されている人物であると判定し、両者が一致しない場合には未登録の人物であると判定する。ここでいう「両者が一致する場合」には、両者が完全に一致する場合と、両者の差分が所定範囲内にある場合とが含まれる。
【００４８】
通信部６２は、インターホン子機２と通信するための通信インターフェースである。通信部６２は、インターホン子機２との間で双方向に通信可能に構成されている。通信部６２は、認証部６１の認証結果を含む通信信号をインターホン子機２に送信する。また、通信部６２は、インターホン子機２の第１撮像部２３が撮像した第１映像を含む通信信号をインターホン子機２から受信する。
【００４９】
記憶部６３は、例えば、フラッシュメモリ等の読み書き可能なメモリで構成されている。記憶部６３は、本実施形態では、集合住宅の各住戸の住人、特定の訪問者（配達業者、友人等）等の顔画像を記憶する。
【００５０】
（３）動作
次に、本実施形態に係るインターホンシステム１０の動作について、図２を参照して説明する。図２は、本実施形態に係るインターホンシステム１０の動作を説明するシーケンス図である。本実施形態では、第２撮像部８が第２映像を常時撮像していると仮定する。
【００５１】
インターホン子機２の子機側操作部２５に含まれる「呼出」ボタンが操作されると（ステップＳ１０１）、子機側制御部２１は、第１撮像部２３に第１映像の撮像を開始させ、かつ第２撮像部８が撮像した第２映像を取得する。子機側制御部２１は、呼出先の住戸の住戸番号と呼出信号と第１映像と第２映像とを含む通信信号を作成し、この通信信号を子機側通信部２２からインターホン親機１に送信させる（ステップＳ１０２）。
【００５２】
インターホン親機１の親機側制御部１１は、親機側通信部１２が受信した通信信号に含まれる第１映像及び第２映像を親機側表示部１３に表示させ、かつ録画部１４に録画させる（ステップＳ１０３）。そして、親機側表示部１３に表示させた第１映像を見た住人が親機側操作部１５に含まれる「通話」ボタンを押すことで、インターホン親機１とインターホン子機２との通話が開始される（ステップＳ１０４）。
【００５３】
通話応答中（ステップＳ１０５）に、親機側操作部１５に含まれる「解錠」ボタンが操作されると（ステップＳ１０６）、親機側制御部１１は、解錠通知を含む通信信号を作成する。そして、親機側制御部１１は、作成した通信信号を親機側通信部１２からインターホン子機２に送信させる（ステップＳ１０７）。インターホン子機２では、子機側制御部２１は、子機側通信部２２が受信した通信信号に含まれる解錠通知に基づいて解錠信号Ｓｉｇ１を作成し、この解錠信号Ｓｉｇ１を信号出力部２７から出力させる（ステップＳ１０８）。
【００５４】
インターホン親機１では、「解錠」ボタンが押されてから一定時間（例えば、５秒）が経過すると、親機側制御部１１は、インターホン子機２との通話を終了させる（ステップＳ１０９）。開閉部材５は、インターホン子機２からの解錠信号Ｓｉｇ１に従って解錠され、かつ自動的に開かれる（ステップＳ１１０，Ｓ１１１）。そして、一定時間（例えば、１分）が経過すると、開閉部材５は自動的に閉じられる（ステップＳ１１２）。
【００５５】
インターホン親機１では、親機側制御部１１は、インターホン親機１とインターホン子機２との通話終了から規定時間（例えば、１分）が経過すると、親機側表示部１３による表示、及び録画部１４による録画を終了させる（ステップＳ１１３）。なお、延長期間Ｔ２は、通話終了から、一旦開かれた開閉部材５が閉じられるまでの時間以上であることが好ましい。
【００５６】
ところで、本実施形態のように延長期間Ｔ２が固定値である場合には、インターホン子機２においても延長期間Ｔ２を登録しておくことが好ましい。そして、この場合には、インターホン子機２の第１撮像部２３は、通話終了から延長期間Ｔ２が経過するタイミングで第１映像の撮像を終了することが好ましい。また、この場合において、延長期間Ｔ２が経過するタイミングで、第１撮像部２３による第１映像の撮像を終了させるための撮像終了信号をインターホン親機１からインターホン子機２に送信するように構成されていてもよい。そして、この場合には、インターホン子機２の第１撮像部２３は、撮像終了信号に従って第１映像の撮像を終了することが好ましい。なお、延長期間Ｔ２が可変である場合には、第１撮像部２３は、撮像終了信号に従って第１映像の撮像を終了することが好ましい。
【００５７】
本実施形態に係るインターホンシステム１０では、親機側表示部１３による表示、及び録画部１４による録画を開始してから通話終了までの特定期間Ｔ１だけでなく、通話終了から規定時間が経過するまでの延長期間Ｔ２においても表示及び録画を継続している。これにより、家族又は訪問者等が第１管理領域１０１側に入ったか否かを最後まで監視することができる。つまり、本実施形態に係るインターホンシステム１０によれば、第２管理領域１０２の監視を強化することができる。また、延長期間Ｔ２においては通話が終了しているため、住戸側の音声が共用ロビー側に漏れることがないという利点もある。
【００５８】
さらに、本実施形態では、インターホン親機１は、親機側表示部１３による表示及び録画部１４による録画を開始してから延長期間Ｔ２が終了するまでの間、親機側表示部１３による表示及び録画部１４による録画を継続している。これにより、延長期間Ｔ２が経過するまで、親機側表示部（１３）による表示及び録画部（１４）による録画を途切れることなく行うことができる。
【００５９】
ところで、親機側表示部１３は、上述の特定期間Ｔ１及び延長期間Ｔ２において、第１映像と第２映像との両方を表示可能であることが好ましい。言い換えると、親機側表示部１３は、第１映像と第２映像とをマルチ表示できるように構成されていることが好ましい。この場合において、例えば、第１映像をメイン画面に表示し、第２映像をサブ画面に表示する。また、親機側表示部１３は、メイン画面とサブ画面とを入れ替えられるように構成されていることが好ましい。この構成によれば、第１映像と第２映像との両方を同時に監視することができる。
【００６０】
（４）変形例
実施形態１は、本開示の様々な実施形態の一つに過ぎない。実施形態１は、本開示の目的を達成できれば、設計等に応じて種々の変更が可能である。また、インターホン親機１と同様の機能は、制御方法、コンピュータプログラム、又はコンピュータプログラムを記録した非一時的な記録媒体等で具現化されてもよい。
【００６１】
一態様に係る制御方法は、インターホン親機１の制御方法である。インターホン親機１は、第２管理領域１０２に設けられたインターホン子機２との間で通話可能である。インターホン親機１は、開閉部材５によって第２管理領域１０２と隔てられた第１管理領域１０１に設けられている。制御方法は、表示ステップと、録画ステップと、の少なくとも一方を備える。表示ステップは、第１映像と第２映像との少なくとも一方を表示するステップである。録画ステップは、第１映像と第２映像との少なくとも一方を録画するステップである。第１映像は、インターホン子機２の第１撮像部２３が撮像した映像である。第２映像は、第１撮像部２３とは異なる第２撮像部８が撮像した映像である。制御方法では、解錠信号Ｓｉｇ１を出力する信号出力部２７が解錠信号Ｓｉｇ１を出力した場合に、延長期間Ｔ２において表示ステップと録画ステップとの少なくとも一方を行う。解錠信号Ｓｉｇ１は、開閉部材５を解錠するための信号である。延長期間Ｔ２は、インターホン親機１とインターホン子機２との通話終了後の期間である。
【００６２】
一態様に係るプログラムは、コンピュータシステムに、上述の制御方法を実行させるためのプログラムである。
【００６３】
以下、実施形態１の変形例を列挙する。以下に説明する変形例は、適宜組み合わせて適用可能である。
【００６４】
本開示におけるインターホンシステム１０及び制御方法の実行主体は、コンピュータシステムを含んでいる。コンピュータシステムは、ハードウェアとしてのプロセッサ及びメモリを有する。コンピュータシステムのメモリに記録されたプログラムをプロセッサが実行することによって、本開示におけるインターホンシステム１０及び制御方法の実行主体としての機能が実現される。プログラムは、コンピュータシステムのメモリに予め記録されていてもよいが、電気通信回線を通じて提供されてもよい。また、プログラムは、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１乃至複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【００６５】
また、親機側制御部１１、子機側制御部２１、制御部３１の各々の機能は、１つの装置に設けられていてもよいし、複数の装置に分散して設けられていてもよい。さらに、親機側制御部１１、子機側制御部２１、制御部３１の各々の少なくとも一部の機能は、例えば、クラウド（クラウドコンピューティング）によって実現されていてもよい。
【００６６】
（４．１）変形例１
実施形態１では、住人が在宅である場合を例示したが、住人が不在である場合も同様に、親機側表示部１３による表示と録画部１４による録画との少なくとも一方を延長することができる。以下、実施形態１の変形例１に係るインターホンシステム１０の動作について、図３を参照して説明する。なお、インターホンシステム１０の構成については実施形態１と同様であり、同一の構成要素には同一の符号を付して詳細な説明を省略する。
【００６７】
インターホン子機２の子機側操作部２５に含まれる「呼出」ボタンが操作されると（ステップＳ２０１）、子機側制御部２１は、第１撮像部２３に第１映像の撮像を開始させる。子機側制御部２１は、第１映像を含む通信信号を作成し、この通信信号を第２通信部２８からサーバ装置６に送信させる（ステップＳ２０２）。
【００６８】
サーバ装置６では、認証部６１は、通信部６２が受信した通信信号に含まれる第１映像から顔画像を抽出し、この顔画像を記憶部６３に記憶されている顔画像と比較する（ステップＳ２０３）。認証部６１は、記憶部６３に記憶されている顔画像の中に、第１映像から抽出した顔画像が含まれていれば、正規に登録された人物であると判定し、含まれていなければ、未登録の人物であると判定する。そして、認証部６１は、認証結果を含む通信信号を作成し、この通信信号を通信部６２からインターホン子機２に送信させる（ステップＳ２０４）。
【００６９】
インターホン子機２では、子機側制御部２１は、認証部６１の認証結果と第１映像とを含む通信信号を作成し、この通信信号を子機側通信部２２からインターホン親機１に送信させる（ステップＳ２０５，Ｓ２０６）。
【００７０】
インターホン親機１では、親機側制御部１１は、親機側通信部１２が受信した通信信号に含まれる第１映像を親機側表示部１３に表示させ、かつ録画部１４に録画させる（ステップＳ２０７）。また、インターホン親機１では、例えば、親機側通話部のスピーカから訪問者が来たことを通知する（ステップＳ２０８）。さらに、インターホン親機１では、親機側制御部１１は、訪問者による呼出を受け付けたことを通知する受付完了通知を親機側通信部１２からインターホン子機２に送信させる（ステップＳ２１０）。
【００７１】
一方、インターホン子機２では、子機側制御部２１は、認証部６１の認証結果から、第１映像に含まれる人物が正規に登録された人物であれば、信号出力部２７から解錠信号Ｓｉｇ１を出力させる（ステップＳ２０９）。開閉部材５は、信号出力部２７からの解錠信号Ｓｉｇ１により解錠され、かつ自動的に開かれる（ステップＳ２１１，Ｓ２１２）。そして、一定時間（例えば、１分）が経過すると、開閉部材５が自動的に閉じられる（ステップＳ２１３）。
【００７２】
インターホン親機１では、親機側制御部１１は、親機側表示部１３による表示及び録画部１４による録画を開始してから所定時間Ｔ３が経過すると、親機側表示部１３による表示及び録画部１４による録画を終了させる（ステップＳ２１４）。ここで、所定時間Ｔ３は、一旦開かれた開閉部材５が再び閉じられるまでの時間以上であることが好ましい。
【００７３】
上述の構成によれば、インターホン親機１側の操作が不要であり、かつ開閉部材５が再び閉じられるまで自動的に表示及び録画を延長することができる。これにより、第２管理領域１０２の監視を強化することができるとともに、利便性を向上させることができる。また、サーバ装置６に予め登録されている人物に限定されるため、録画に伴うメモリを節約することもできる。
【００７４】
ここで、インターホン子機２に接続された管理室親機が管理室に設けられている場合を想定する。この場合において、第１映像及び第２映像をインターホン子機２から管理室親機に送信することによって、呼出先の住戸が不在であっても第２管理領域１０２を監視することができる。
【００７５】
（４．２）その他の変形例
以下、その他の変形例を列挙する。
【００７６】
実施形態１では、インターホンシステム１０の適用対象が集合住宅である場合を例示したが、インターホンシステム１０の適用対象は集合住宅に限らず、例えばオフィスビル等の集合施設であってもよい。
【００７７】
実施形態１では、認証部６１がサーバ装置６に設けられているが、認証部は、インターホン親機１、インターホン子機２及び制御装置３のいずれかに設けられていてもよいし、分散して設けられていてもよい。この場合、サーバ装置６を省略することができる。
【００７８】
実施形態１では、信号出力部２７がインターホン子機２に設けられているが、信号出力部は、インターホン親機１又は制御装置３に設けられていてもよい。
【００７９】
実施形態１では、映像出力部１７がインターホン親機１に設けられているが、映像出力部は、インターホン子機２又は制御装置３に設けられていてもよい。
【００８０】
実施形態１では、親機側操作部１５に含まれる「解錠」ボタンが押されてから一定時間後に通話を終了させているが、例えば、「解錠」ボタンが押された後、特定ボタン（例えば、「通話」ボタン等）が押されるまで通話を継続するように構成されていてもよい。
【００８１】
実施形態１では、インターホン子機２において、子機側通信部２２と第２通信部２８とが別々に設けられているが、子機側通信部２２と第２通信部２８とが１つの通信部で構成されていてもよい。
【００８２】
実施形態１では、親機側表示部１３による表示と録画部１４による録画との両方を行っているが、親機側表示部１３による表示と録画部１４による録画との少なくとも一方を行うように構成されていればよい。
【００８３】
実施形態１では、親機側操作部１５の「解錠」ボタンによって開閉部材５を解錠する場合を例示したが、例えば、カードキー等を用いた鍵認証によって開閉部材５を解錠するように構成されていてもよい。
【００８４】
実施形態１では、第１撮像部２３と第２撮像部８とで延長期間Ｔ２の終了タイミングが同じであるが、延長期間Ｔ２の終了タイミングは第１撮像部２３と第２撮像部８とで異なっていてもよい。言い換えると、延長期間Ｔ２の終了タイミングは、第１撮像部２３と第２撮像部８とで別々に設定可能であってもよい。本実施形態では、第２撮像部８の撮像エリアに開閉部材５が含まれているため、第２撮像部８の延長期間Ｔ２の終了タイミングは、第１撮像部２３の延長期間Ｔ２の終了タイミングよりも後であることが好ましい。
【００８５】
実施形態１では、インターホン親機１及びインターホン子機２間の通話終了と延長期間Ｔ２の開始タイミングとが連続する場合を例示したが、通話終了と延長期間Ｔ２の開始タイミングとの間にタイムラグがあってもよい。言い換えると、特定期間Ｔ１と延長期間Ｔ２とが連続していなくてもよい。この場合においても、親機側表示部１３による表示と録画部１４による録画とを延長することで、第２管理領域１０２の監視を強化することができる。
【００８６】
（実施形態２）
実施形態１では、規定時間、言い換えると延長期間Ｔ２が固定値である場合を例示したが、延長期間Ｔ２は、可変であってもよい。以下、実施形態２に係るインターホンシステム１０について、図４を参照して説明する。本実施形態では、開閉部材５からの開閉信号によって表示及び録画を終了する場合について説明する。なお、インターホンシステム１０の構成については実施形態１と同様であり、同一の構成要素には同一の符号を付して詳細な説明を省略する。
【００８７】
本実施形態に係るインターホンシステム１０は、複数のインターホン親機１と、インターホン子機２と、制御装置３と、を備えている。また、インターホンシステム１０は、第２撮像部８と、サーバ装置６と、を更に備えている。インターホン親機１の親機側制御部１１は、開閉部材５の開閉信号（開閉部材５が閉じていることを表す信号）に基づいて延長期間Ｔ２の終了タイミングを決定する。
【００８８】
次に、本実施形態に係るインターホンシステム１０の動作について、図４を参照して説明する。図４は、本実施形態に係るインターホンシステム１０の動作を説明するシーケンス図である。
【００８９】
インターホン子機２において、子機側操作部２５に含まれる「呼出」ボタンが操作されると（ステップＳ３０１）、子機側制御部２１は、第１撮像部２３に第１映像の撮像を開始させる。子機側制御部２１は、呼出先の住戸の住戸番号と呼出信号と第１映像とを含む通信信号を作成し、この通信信号を子機側通信部２２からインターホン親機１に送信させる（ステップＳ３０２）。
【００９０】
インターホン親機１では、親機側制御部１１は、親機側通信部１２が受信した通信信号に含まれる第１映像を親機側表示部１３に表示させ、かつ録画部１４に録画させる（ステップＳ３０３）。そして、親機側表示部１３に表示させた第１映像を見た住人が親機側操作部１５に含まれる「通話」ボタンを押すことで、インターホン親機１とインターホン子機２との通話が開始される（ステップＳ３０４）。
【００９１】
通話応答中（ステップＳ３０５）に、親機側操作部１５に含まれる「解錠」ボタンが操作されると（ステップＳ３０６）、親機側制御部１１は、解錠通知を含む通信信号を作成する。そして、親機側制御部１１は、作成した通信信号を親機側通信部１２からインターホン子機２に送信させる（ステップＳ３０７）。インターホン子機２では、子機側制御部２１は、子機側通信部２２が受信した通信信号に含まれる解錠通知に基づいて解錠信号Ｓｉｇ１を作成し、この解錠信号Ｓｉｇ１を信号出力部２７から開閉部材５に出力させる（ステップＳ３０８）。
【００９２】
インターホン親機１では、「解錠」ボタンが押されてから一定時間（例えば、５秒）が経過すると、親機側制御部１１は、インターホン子機２との通話を終了させる（ステップＳ３０９）。開閉部材５は、インターホン子機２からの解錠信号Ｓｉｇ１によって解錠され、かつ自動的に開かれる（ステップＳ３１０，Ｓ３１１）。そして、一定時間（例えば、１分）が経過すると、開閉部材５が自動的に閉じられる（ステップＳ３１２）。
【００９３】
開閉部材５が閉じられると、開閉部材５からインターホン子機２に開閉信号が出力される（ステップＳ３１３）。開閉信号は、ここでは開閉部材５が閉じられていることを示す信号である。インターホン子機２では、子機側制御部２１は、開閉部材５から受け取った開閉信号に従って映像停止通知を含む通信信号を作成し、この通信信号を子機側通信部２２からインターホン親機１に送信させる（ステップＳ３１４）。そして、インターホン親機１では、親機側制御部１１は、親機側通信部１２が受信した通信信号に含まれる映像停止通知に従って、親機側表示部１３による表示、及び録画部１４による録画を停止させる（ステップＳ３１５）。
【００９４】
本実施形態に係るインターホンシステム１０では、上述のように、延長期間Ｔ２の終了タイミングが、開閉部材５から出力される開閉信号によって決まる。つまり、本実施形態に係るインターホンシステム１０では、延長期間Ｔ２が可変である。そして、延長期間Ｔ２の終了タイミングが開閉部材５からの開閉信号によって決まることで、親機側表示部１３による表示、及び録画部１４による録画を、開閉部材５が閉じるまで継続することができる。これにより、家族又は訪問者等が第１管理領域１０１側に入ったか否かを最後まで監視することができる。つまり、本実施形態に係るインターホンシステム１０によれば、第２管理領域１０２の監視を強化することができる。また、延長期間Ｔ２においては通話が終了しているため、住戸側の音声が共用ロビー側に漏れることがないという利点もある。
【００９５】
ところで、次の訪問者等が来た場合には、当該訪問者等を優先するために、延長期間Ｔ２内であっても延長期間Ｔ２を終了させることが好ましい。これにより、親機側表示部１３による表示と録画部１４による録画との少なくとも一方を延長しながらも他のインターホン親機１とインターホン子機２との通話を優先することができる。
【００９６】
実施形態２では、開閉部材５からの開閉信号、つまり開閉部材５が閉じたことを検知した場合に延長期間Ｔ２を終了させている。これに対して、例えば、人感センサ、画像センサ等によって開閉部材５周辺に人がいなくなったことを検知した場合に延長期間Ｔ２を終了させてもよい。また、第２撮像部８が撮像した第２映像内に人がいなくなったことを検知した場合に延長期間Ｔ２を終了させてもよい。
【００９７】
なお、実施形態２（変形例を含む）で説明した構成は、実施形態１で説明した構成（変形例を含む）と適宜組み合わせて適用可能である。
【００９８】
（実施形態３）
実施形態２では、開閉部材５からの開閉信号等に基づいて延長期間Ｔ２の終了タイミングが決定される場合を例示したが、第１撮像部２３が撮像した第１映像に含まれる顔画像に基づいて延長期間Ｔ２の終了タイミングを決定してもよい。以下、実施形態３に係るインターホンシステム１０について、図５を参照して説明する。なお、インターホンシステム１０の構成については実施形態１と同様であり、同一の構成要素には同一の符号を付して詳細な説明を省略する。
【００９９】
本実施形態に係るインターホンシステム１０は、複数のインターホン親機１と、インターホン子機２と、制御装置３と、を備えている。また、インターホンシステム１０は、第２撮像部８と、サーバ装置６と、を更に備えている。インターホン親機１の親機側制御部１１は、サーバ装置６の認証部６１の認証結果に基づいて延長期間Ｔ２の終了タイミングを決定する。
【０１００】
次に、本実施形態に係るインターホンシステム１０の動作について、図５を参照して説明する。図５は、本実施形態に係るインターホンシステム１０の動作を説明するシーケンス図である。
【０１０１】
インターホン子機２において、子機側操作部２５に含まれる「呼出」ボタンが操作されると（ステップＳ４０１）、子機側制御部２１は、第１撮像部２３に第１映像の撮像を開始させる。子機側制御部２１は、第１映像を含む通信信号を作成し、この通信信号を子機側通信部２２からサーバ装置６に送信させる（ステップＳ４０２）。
【０１０２】
サーバ装置６では、認証部６１は、通信部６２が受信した通信信号に含まれる第１映像から顔画像を抽出し、この顔画像を、記憶部６３に記憶されている顔画像と比較する（ステップＳ４０３）。認証部６１は、第１映像から抽出した顔画像が記憶部６３に記憶されている顔画像の中に含まれていれば、正規に登録された人物であると判定し、含まれていなければ、未登録の人物であると判定する。認証部６１は、認証結果を含む通信信号を作成し、この通信信号を通信部６２からインターホン子機２に送信させる（ステップＳ４０４）。
【０１０３】
インターホン子機２では、子機側制御部２１は、子機側通信部２２が受信した通信信号に含まれる認証結果と第１映像とを含む通信信号を作成し、この通信信号を子機側通信部２２からインターホン親機１に送信させる（ステップＳ４０５，４０６）。
【０１０４】
インターホン親機１では、親機側制御部１１は、親機側通信部１２が受信した通信信号に含まれる第１映像を親機側表示部１３に表示させ、かつ録画部１４に録画させる（ステップＳ４０７）。そして、親機側表示部１３に表示させた第１映像を見た住人が親機側操作部１５に含まれる「通話」ボタンを押すことで、インターホン親機１とインターホン子機２との通話が開始される（ステップＳ４０８）。
【０１０５】
通話応答中（ステップＳ４０９）に、親機側操作部１５に含まれる「解錠」ボタンが操作されると（ステップＳ４１０）、親機側制御部１１は、解錠通知を含む通信信号を作成する。そして、親機側制御部１１は、作成した通信信号を親機側通信部１２からインターホン子機２に送信させる（ステップＳ４１１）。インターホン子機２では、子機側制御部２１は、子機側通信部２２が受信した通信信号に含まれる解錠通知に基づいて解錠信号Ｓｉｇ１を作成し、この解錠信号Ｓｉｇ１を信号出力部２７から開閉部材５に出力させる（ステップＳ４１２）。
【０１０６】
インターホン親機１では、「解錠」ボタンが押されてから一定時間（例えば、５秒）が経過すると、親機側制御部１１は、インターホン子機２との通話を終了させる（ステップＳ４１３）。開閉部材５は、インターホン子機２からの解錠信号Ｓｉｇ１により解錠され、かつ自動的に開かれる（ステップＳ４１４，Ｓ４１５）。そして、一定時間（例えば、１分）が経過すると、開閉部材５は自動的に閉じられる（ステップＳ４１６）。
【０１０７】
インターホン親機１では、親機側制御部１１は、インターホン親機１とインターホン子機２との通話終了から規定時間が経過すると、親機側表示部１３による表示、及び録画部１４による録画を停止させる（ステップＳ４１７）。
【０１０８】
ここで、本実施形態に係るインターホンシステム１０では、親機側制御部１１は、認証部６１の認証結果に基づいて規定時間、つまり延長期間Ｔ２を設定する。詳細には、親機側制御部１１は、認証部６１の認証結果に基づいて、第１映像に写っている人物が家族である場合には、延長期間Ｔ２を長め（例えば、２分）に設定する。さらに、親機側制御部１１は、第１映像に写っている人物が家族で、かつ子供である場合には、延長期間Ｔ２を更に長め（例えば、３分）に設定する。
【０１０９】
上述の構成によれば、開閉部材５を通過するまでの時間に個人差がある場合でも、個人差にかかわらず第２管理領域１０２の監視を強化することができる。
【０１１０】
なお、実施形態３で説明した構成は、実施形態１で説明した構成（変形例を含む）と適宜組み合わせて適用可能である。
【０１１１】
（まとめ）
以上説明したように、第１の態様に係るインターホンシステム（１０）は、インターホン親機（１）と、インターホン子機（２）と、を備える。インターホン親機（１）は、第１管理領域（１０１）に設けられている。インターホン子機（２）は、開閉部材（５）によって第１管理領域（１０１）と隔てられた第２管理領域（１０２）に設けられている。インターホンシステム（１０）では、インターホン親機（１）とインターホン子機（２）との間で通話可能である。インターホンシステム（１０）は、開閉部材（５）を解錠するための解錠信号（Ｓｉｇ１）を出力する信号出力部（２７）を更に備える。インターホン子機（２）は、第２管理領域（１０２）を撮像する第１撮像部（２３）を有する。インターホン親機（１）は、親機側表示部（１３）と、録画部（１４）と、の少なくとも一方を有する。親機側表示部（１３）は、第１映像と第２映像との少なくとも一方を表示する。録画部（１４）は、第１映像と第２映像との少なくとも一方を録画する。第１映像は、第１撮像部（２３）が撮像した映像である。第２映像は、第１撮像部（２３）とは異なる第２撮像部（８）が撮像した映像である。インターホン親機（１）は、信号出力部（２７）が解錠信号（Ｓｉｇ１）を出力した場合に、延長期間（Ｔ２）において親機側表示部（１３）による表示と録画部（１４）による録画との少なくとも一方を行う。延長期間（Ｔ２）は、インターホン親機（１）とインターホン子機（２）との通話終了後の期間である。
【０１１２】
この態様によれば、親機側表示部（１３）による表示と録画部（１４）による録画との少なくとも一方を延長しており、通話終了と同時に表示及び録画を終了する場合と比較して第２管理領域（１０２）の監視を強化することができる。
【０１１３】
第２の態様に係るインターホンシステム（１０）は、第１の態様において、第１映像に含まれる顔画像に基づいて顔認証を行う認証部（６１）を更に備える。信号出力部（２７）は、認証部（６１）の認証結果に応じて解錠信号（Ｓｉｇ１）を出力する。
【０１１４】
この態様によれば、認証部（６１）の認証結果に応じて開閉部材（５）を解錠することができる。
【０１１５】
第３の態様に係るインターホンシステム（１０）では、第１の態様において、インターホン子機（２）は、開閉部材（５）の解錠操作を受け付ける子機側操作部（２５）を更に有する。信号出力部（２７）は、子機側操作部（２５）が解錠操作を受け付けた場合に解錠信号（Ｓｉｇ１）を出力する。
【０１１６】
この態様によれば、インターホン子機（２）での解錠操作によって開閉部材（５）を解錠することができる。
【０１１７】
第４の態様に係るインターホンシステム（１０）では、第１〜３のいずれかの態様において、インターホン親機（１）は、親機側操作部（１５）を更に有する。親機側操作部（１５）は、延長期間（Ｔ２）において親機側表示部（１３）による表示及び録画部（１４）による録画を停止するための停止操作を受け付ける。
【０１１８】
この態様によれば、延長期間（Ｔ２）であっても親機側表示部（１３）による表示及び録画部（１４）による録画を停止することができる。
【０１１９】
第５の態様に係るインターホンシステム（１０）では、第１〜４のいずれかの態様において、延長期間（Ｔ２）は可変である。
【０１２０】
この態様によれば、延長期間（Ｔ２）を変更することができる。
【０１２１】
第６の態様に係るインターホンシステム（１０）では、第１〜５のいずれかの態様において、延長時間（Ｔ２）の終了タイミングが、第１撮像部（２３）と第２撮像部（８）とで別々に設定可能である。
【０１２２】
この態様によれば、第１撮像部（２３）の撮像時間と第２撮像部（８）の撮像時間とを別々に設定することができる。
【０１２３】
第７の態様に係るインターホンシステム（１０）では、第１〜６のいずれかの態様において、インターホン親機（１）は、親機側表示部（１３）を有する。親機側表示部（１３）は、第１映像と第２映像との両方を同時に表示可能である。
【０１２４】
この態様によれば、第１映像と第２映像との両方を同時に監視することができる。
【０１２５】
第８の態様に係るインターホンシステム（１０）は、第１〜７のいずれかの態様において、映像出力部（１７）を更に備える。映像出力部（１７）は、第１映像と第２映像との少なくとも一方の映像、又は映像に含まれる画像を特定端末（７）に出力する。
【０１２６】
この態様によれば、特定端末（７）によって第２管理領域（１０２）を監視することができる。
【０１２７】
第９の態様に係るインターホンシステム（１０）は、第１〜８のいずれかの態様において、以下の構成を備える。インターホン親機（１）は、親機側表示部（１３）による表示と録画部（１４）による録画との少なくとも一方を開始してから延長期間（Ｔ２）が終了するまでの間、親機側表示部（１３）による表示と録画部（１４）による録画との少なくとも一方を継続する。
【０１２８】
この態様によれば、延長期間（Ｔ２）が経過するまで、親機側表示部（１３）による表示と録画部（１４）による録画との少なくとも一方を途切れることなく行うことができる。
【０１２９】
第１０の態様に係る制御方法は、インターホン親機（１）の制御方法である。インターホン親機（１）は、第２管理領域（１０２）に設けられたインターホン子機（２）との間で通話可能である。インターホン親機（１）は、開閉部材（５）によって第２管理領域（１０２）と隔てられた第１管理領域（１０１）に設けられている。制御方法は、表示ステップと、録画ステップと、の少なくとも一方を備える。表示ステップは、第１映像と第２映像との少なくとも一方を表示するステップである。録画ステップは、第１映像と第２映像との少なくとも一方を録画するステップである。第１映像は、インターホン子機（２）の第１撮像部（２３）が撮像した映像である。第２映像は、第１撮像部（２３）とは異なる第２撮像部（８）が撮像した映像である。制御方法では、解錠信号（Ｓｉｇ１）を出力する信号出力部（２７）が解錠信号（Ｓｉｇ１）を出力した場合に、延長期間（Ｔ２）において表示ステップと録画ステップとの少なくとも一方を行う。解錠信号（Ｓｉｇ１）は、開閉部材（５）を解錠するための信号である。延長期間（Ｔ２）は、インターホン親機（１）とインターホン子機（２）との通話終了後の期間である。
【０１３０】
この態様によれば、表示ステップと録画ステップとの少なくとも一方を延長しており、通話終了と同時に表示ステップ及び録画ステップを終了する場合と比較して第２管理領域（１０２）の監視を強化することができる。
【０１３１】
第１１の態様に係るプログラムは、コンピュータシステムに、第１０の態様の制御方法を実行させるためのプログラムである。
【０１３２】
この態様によれば、表示ステップと録画ステップとの少なくとも一方を延長しており、通話終了と同時に表示ステップ及び録画ステップを終了する場合と比較して第２管理領域（１０２）の監視を強化することができる。
【０１３３】
第２〜９の態様に係る構成については、インターホンシステム（１０）の必須の構成ではなく、適宜省略可能である。
【符号の説明】
【０１３４】
１  インターホン親機
１３  親機側表示部
１４  録画部
１５  親機側操作部
１７  映像出力部
２  インターホン子機
２３  第１撮像部
２５  子機側操作部
２７  信号出力部
５  開閉部材
６１  認証部
７  特定端末
８  第２撮像部
１０  インターホンシステム
１０１  第１管理領域
１０２  第２管理領域
Ｓｉｇ１  解錠信号
Ｔ２  延長期間
【図１】
2019140618.tif 000003
【図２】
2019140618.tif 000004
【図３】
2019140618.tif 000005
【図４】
2019140618.tif 000006
【図５】
2019140618.tif 000007